(57)【要約】      （修正有）【課題】接地穴付電源コンセントと接地穴付でない電源コンセント双方を安全且つ簡単に使用でき、接地アース端子ピンが電源コンセントの接地穴に差し込まれているか否かを容易に確認できる安価な回転式電源プラグの提供。【解決手段】回転式電源プラグは、接地アース端子ピン２４と一対の電源端子刀刃２２を有し、接地アース端子ピン２４後部と接地後部接触板が面接触し、接地アース端子ピン２４は回転螺栓柱２６を中心に回転可能とし、接地穴付電源コンセントと接地穴付でない電源コンセントとの両方に差し込む事が出来る。【選択図】図１
2005327691.tif 000002
【特許請求の範囲】
【請求項１】
前記接地アース端子ピンと一対の電源端子刀刃を有するプラグは該接地アース端子ピンの後部と接地後部接触板が面接触している。該接地アース端子ピンと一対の電源端子刀刃の間を分離可能に設計されている。
前記接地アース端子ピンと一対の電源端子刀刃保持する絶縁性の上カバーと下カバー、前記の上カバー穴、接地アース端子ピン後部穴、接地後部接触板穴、一対の電源端子刀刃中心部、下カバー穴に挿入する回転螺栓柱と該回転螺栓柱にはばねが配置され、前記接地アース端子ピン後部接触板内には凹部又は凸部と接地後部接触板凸部又は凹部が設けられている。前記接地アース端子ピンおよび回転螺栓柱を回転又は固定すると、前記の接地アース端子ピンを前記一対の電源端子刀刃の上に回転又は固定する事が可能な回転式電源プラグ。
前記一対の電源端子刀刃、接地アース端子ピン、上カバー、下カバー、回転螺栓柱、接地後部接触板を構成している回転部。前記回転部の両側固定部と後部把持部は三芯電線で構成されている固定物であり、前記一対の電源端子刀刃の後部接触面と一対の後部電源接触板には一対の電源軸が設けられ、前記接地後部接触板と接地板にも接地軸が設けられている。該一対電源軸および接地軸を中心に配置し、前記接地アース端子ピンと前記一対の電源刀刃を同一平面又は前記接地アース端子ピンと前記一対の電源端子刀刃を異面、そして、前記回転部と固定部を同時回転させる事が可能な回転式電源プラグ。
【請求項２】
前記一対の電源軸および接地軸中心は同一直線上である。請求項１に記載の回転式電源プラグ。
【請求項３】
前記回転式電源プラグの上に、スイッチ、ランプ、コンセント付きでも使用可能。請求項１又は２に記載の回転式電源プラグ。
【請求項４】
前記回転螺栓柱および接地端子ピンを回転すると、同時に一対の電源端子刀刃を回転させ、又は一対の電源端子刀刃の距離と形状が変化可能な請求項１又は２に記載の回転式電源プラグ。
【発明の詳細な説明】
【技術分野】
【０００１】本発明は、接地アース端子ピンと一対の電源端子刀刃に関するプラグである。
【背景技術】
【０００２】図１３の２は、従来接地アース端子ピン付き差し込みプラグを示す斜視図である。図１３の２を参照すると、差し込みプラグ２は、一対の電源端子刀刃４と接地アース端子ピン６とが取り付けられている。このように接地アース端子ピン６が設けられ、差し込みプラグ２は、接地付きの電源コンセント図１３の８に差し込まれるものである。【０００３】図１３の２のように、接地アース端子ピン６の差し込み穴がない場合は、差し込みプラグを使用できない。たとえば、家庭などで用いられているコンセントは、ほとんど接地アース端子ピン６のように差し込み穴がないタイプのコンセントであり、工場や建設現場のみでなく、電気機器、コンピューターなどに使用する差し込みプラグの場合に問題が生じる。【０００４】従来は、図１３の８と１０のようなタイプの電源コンセントに差し込むことができるように、図１３の１２に示したようなアダプタが用いられていた。アダプタ１２の把持部１４の前面には、一対の電源端子刀刃１６が設けられている。また把持部１４の裏面には、図を示していないが、差し込みプラグ２の一対電源端子刀刃４を受ける一対の穴ならびに接地アース端子ピン６を受ける穴が設けられている。このようなアダプタ１２の裏面に形成された穴に、差し込みプラグ２の一対の電源端子刀刃４ならびにアース端子ピン６を差し込むことにより、差し込みプラグの一対の電源端子刀刃４が把持部１４の一対の電源端子刀刃１６と電気的に接続され、また接地アース端子ピン６は、接地アース端子補助線１８に電気的に接続される。このようなアダプタ１２を接続すれば、アダプタ１２の前面には一対の電源端子刀刃１６のみとなり、接地穴のない電源コンセント図１３の１０に差し込むことができる。また必要に応じて、接地アース端子補助線１８を用いて、接地処２０対に接することができる。【０００５】しかしながら、このようなアダプタは、差し込みプラグと別体の部品である為、使用するうちに紛失してしまう恐れがある、また、このような紛失の恐れをなくすため、アダプタを差し込みプラグに紐などで取り付けておくことも可能であるが、アダプタにより、取り扱いにくい状態になる問題点が生じた。【０００６】さらに、このような別体のアダプタを必要とするため、製品コストが高くなる問題もあった。
【実用新案文献１】
実公開６−３８３８０の差し込みプラグは、このような従来の問題点を解消し、アダプタを用いなくても、接地穴付の電源コンセントと接地穴付でない電源コンセントにも差し込み可能なプラグである。しかし、実公開６−３８３８０の差し込みプラグは、アース端子ピン其端部に軸を介して回転可能に取り付けられ、又、前面の外周部にまで達しないようにのみ配置されている。つまり、接地穴を有するコンセントを使用する際、接地アース端子ピンが差し込まれる状態になり、つまり差し込まれているか否かを容易に確認できなくなる。もしも接地穴があるコンセントに接地アース端子ピンが差し込まれていない時、安全面に多大な問題が生じる。
【特許文献２】特開平７−２９６８９８の差し込みプラグは、このような従来の問題点を解消し、アダプタを用いなくても、接地穴付の電源コンセントや接地穴付でない電源コンセントにも差し込み可能なプラグである。しかし、特開平７−２９６８９８の差し込みプラグは、アース端子ピンがイドケースの中に軸方向移動可能な飛び出し式である。接地穴を有するコンセントの場合、アース端子ピンが差し込まれているか否かを確認できない。もしも、接地穴を有するコンセントが、アース端子ピンに差し込まれていない場合、安全面に多大な問題が生じる。また、特開平７−２９６８９８は、アース端子ピン接地穴を有するコンセントであり、アース端子ピンに差し込まれているか否かを表示させる手段としてランプが用いられている。しかし、ランプの場合、構造が複雑であると同時にコストも高くなる。また、アダプタ、実公開６−３８３８０、特開平７−２９６８９８の三種とも、プラグと電源コードをつなぐと全体的に長くなり、プラグと電源コードが重くなってしまう。その状態で、コンセントに差し込まれると、斜めに傾き一対の電源端子刀刃とアース端子ピンが飛び出る可能性があり、この場合、人体に接触する危険性が高くなる。また、本体が傾斜すると、接触する時間が短縮してしまう。接触状態の悪化は熱の発生を招き、火災などの事故にもつなぐ。さらに長く使用すると、作業の妨げになり、不意中に電源プラグに触れると、プラグが外れる恐れもある。
【発明が解決しようとする課題】
【０００７】本発明は、このような従来の問題点を解消し、より安全に、簡単に、且つ安価に接地穴付電源コンセントと接地穴付でない電源コンセント双方を使用できる一石二鳥な回転式電源プラグである。さらに、接地アース端子ピンが電源コンセントの接地穴に差し込まれているか否かを容易に確認できる設計となっている。また、接地付プラグおよび接地付でないプラグともに回転部と固定部が回転可能な為、電源コンセントに差し込む際、より安全に、且つ、作業の妨げを防止する回転式電源プラグである。
【課題を解決するための手段】
【０００８】前面に、接地アース端子ピンと一対の電源端子刀刃を有するプラグ。該接地アース端子ピンの後部と接地後部接触板を面接触し、該接地アース端子ピンと一対の電源端子刀刃が分離可能に設計されている。前記接地アース端子ピンと一対の電源端子刀刃を保持する絶縁性の上カバーと下カバー、前記上カバー穴、接地アース端子ピン後部穴、接地後部板穴、一対の電源端子刀刃の中心、下カバー穴に挿入する回転螺栓柱と該回転螺栓柱にばねが配置されている。前記接地アース端子ピンの後部接触板内凹部又は凸部と接地後部接触板の凸部又は凹部が設けられ、前記接地アース端子ピンおよび回転螺栓柱を回転または固定すると、前記接地アース端子ピンを前記一対の電源端子刀刃の上に回転又は固定可能な回転式電源プラグ。前記一対の電源刀刃、接地アース端子ピン、上カバー、下カバー、回転螺栓柱、後部接触板を構成している回転部、前記回転部の両側固定部、後部把持部、接地補助線、三芯電線を構成している固定物、前記一対の電源端子刀刃の後部接触面と一対の後部電源接触板には一対の電源軸が設けられ、前記接地後部板と接地板にも接地軸が設けられている。該一対の電源軸および接地軸が中央に配置され、前記接地アース端子ピンと前記一対の電源刀刃を同一平
2005327691.tif 000003
部を同時に回転する事が可能な回転式電源プラグ。
【０００９】一対の電源軸および接地軸の中心が同一直線上にある回転式電源プラグ。
【００１０】回転式電源プラグの上に、スイッチ、ランプ、コンセント付でも回転可能な電源プラグ。
【００１１】回転螺栓柱および接地アース端子ピンを回転させると、同時に一対の電源端子刀刃を回転または前記電源端子刀刃の距離や形状を変化させる事が可能な回転式電源プラグ。
【００１２】図２を参照して、本発明の回転式電源プラグは、回転縲栓柱２６、接地アース端子ピン２４、接地後部接触板６４、接地板４８、一対の電源端子刀刃２２、一対の電源接触板６２、一対の固定部２８、後部把持部３０、上カバー３４、下カバー３６、平リング５４、ばね５６、リングばね５８、接地補助線１８および三芯電線３２で構成されている回転式電源プラグである。
【００１３】図７上図または下図のように、一対の電源端子刀刃２２、一対の電源接触板６２、電源軸６８は対接されている。電源接触板６２と一対の電源線６６も対接され、また、接地アース端子ピン２４の後部接触板と接地後部接触板６４は面接触されている。さらに、接地後部接触板６４と接地板４８は接地軸７０に対接され、また接地板４８、接地補助線１８、接地線８６は電気的に連接されている。一対の電源軸６８と接地軸７０は同一直線上にあり、その同一線上に位置する軸はどんな方向でもよい。
【００１４】図８上図又は下図のように、接地アース端子ピン２４の後部接触板と接地後部接触板６４の内には、凹部又は凸部７２と凸部又は凹部７４が設けられている。
【００１５】図２のように、回転部螺栓柱２６は、接地アース端子ピン２４の後部穴７６、上カバー３４の穴８０、一対の電源端子刀刃の中心、上カバー穴８２、平リング５４とばね５６、最後にリングばね５８を回転螺栓柱の凹部８４に固定し、下カバー３６に埋め込む。
【００１６】また、上カバー３４と下カバー３６は図２のように分離する事も可能であり、合体させる事も可能である。さらに、一対の電源接地板６２、一対の固定部２８、接地板４８、後部把持部３０、三芯電線３２および接地補助線１８も分離、又は合体可能である。
【００１７】図１は、本発明の回転式電源プラグのように接地穴付の電源コンセントと接地穴付でない電源コンセントの双方を使用する。また、回転部４４と固定部２８は同時に回転可能である。また、電源コンセントに差し込まれた固定部のみが回転可能な回転式電源プラグ。
【発明の効果】
【００１８】本発明の回転式電源プラグは、回転螺栓柱が回転可能なように設けられ、接地アース端子ピン後部凹部又は凸部と接地後部接触板凸部又は凹部をばねによって接地アース端子ピンと一対の電源端子刀刃を同一平面又は異面に回転させまたは固定する事が可能である。電源コンセントが接地穴付および接地穴なしのいずれの場合であっても、差し込みプラグを差し込む事ができる。
【００１９】接地アース端子ピンは、しるしによって、電源コンセントに差し込まれたか否かを容易に確認できる。また、接地アースピン後部凹部又は凸部と接地後部板凸部又は凹部をばねによって、３６０°回転又は固定が可能である。さらに、接地アースピンカバーによって、接地アース端子ピンを露呈させずに保護する事ができる。回転螺栓柱を回転すると同時に一対の電源端子刀刃を回転させ又は一対の電源端子刀刃の距離や形状が変化な回転式電源プラグである。
【００２０】本発明の回転式電源プラグでは、一対の電源軸と接地軸が同一直線上にある。一対の電源端子刀刃と接地アース端子ピンは同一平面であっても、異面であっても、固定部と回転部が同時に回転可能であり、電源コンセントに差し込まれた固定部のみが回転可能な回転式電源プラグ。
【００２１】固定部と回転部を回転させると、回転式電源プラグは電源コンセントに差し込まれても、露出する部分が縮短され、作業の妨げを防ぐ事ができる。また、露出する部分が減ると、自体の重さが軽くなり、差し込まれたプラグが傾斜せず、安全性と接触性が改善される。
【発明を実施するための最良の形態】
【００２２】図７の上下図のように、一対の電源端子刀刃２２、一対の電源接触板６２および電源軸６８は連結され、また、電源接触板６２と三芯電線３２の一対の電源線６６も連結されている。さらに、接地後部接触板６４、接地板４８および接地軸７０は連結され、接地板４８の一端、三芯電線３２の接地線８６、補助接地線１８も連結状態にある。接地アース端子ピンの後部接触板と接地後部接触板６４は面接触であり、一対の電源軸６８と接地軸７０は一直線である。また、一対の電源端子刀刃２２の後部に絶縁チューブが被されている。【００２３】図８の上下図のように、接地アースピン２４の後部接触板と接地後部接触板６４は面接触であり、尚且つ、面接触の内には凹部と凸部７２と凸部と凹部７４が設けられている。また、補助接地線１８と三芯電線接地線は連結させてもよいし、接地線８６と接地アース端子ピン２４の間と二連結させても使用可能であり、補助接地線１８の一端は、Ｒ端子、Ｆ端子、など取り付けを加えてもよい。【００２４】図２のように、一対の電源端子刀刃２２と一対の電源接触板６２は電源軸６８と連結している。その一対の電源接触板６２が一対の固定部２８に埋め込まれている。一対の電源端子刀刃２２と一対の固定部２８の間で回転可能である。また、一対の電源接触板６２と一対の電源電線６６は後部把持部３０の内に連結されている。また、接地後部接触板６４と接地板４８は軸で連結され、接地板４８、電源接地線および補助接地線１８は後部把持部３０の内に連結されている。【００２５】また、回転縲栓柱２６が、接地アース端子ピン後部穴７６、上カバー穴８０、接地アースピン後部板穴７８、下カバー穴８２、平リング５４、ばね５６、およびリングばね５８と回転縲栓柱の凹部８４と合わせて、下カバーの内に埋め込まれる回転式電源プラグである。【００２６】図４下図のように、電源コンセント接地穴付でない時に、回転縲栓柱２６を回転すると、ばね５６と接地アースピン後部凹部または凸部７２と接地後部接触板凸部又は凹部７４によって、接地アース端子ピン２４は回転および固定が可能になる。また、回転によって、接地アースピンカバー６０の内に入り、しるし４０によって、接地アースピン２４の行き先が確認できる。【００２７】図６のように、電源コンセントが接地穴付である場合、そのまま使用できる。回転式電源プラグを電源コンセント接地穴付に差し込むと図９のように回転部４４が固定され、一対の電源軸６８と接地軸７０によって、一対の固定部２８、後部把持部３０および三芯電線３２を回転させることができる。さらに、接地板６８は隙間５０を通過するものである。また図３は側面から見た形である。【００２８】図４のように、回転式電源プラグを電源コンセント接地穴付でないものに差し込むと図５のように回転部４４は固定され、一対の電源軸６８と接地軸７０によって、一対の固定部２８、後部把持部３０と三芯電線３２が回転可能になる。【００２９】接地アース端子ピン２４は、回転螺栓柱２６に中心軸、回転部４４と固定部２８は、一対の電源軸６８および接地軸７０、一直線又は中心軸によって回転可能ならば、形を拘らなくってもよい。
【実施例１】
【００３０】図１は、本発明の回転式電源プラグ斜視図である。矢頭３８のように接地アース端子ピン２４は、回転螺栓柱２６を中心に３６０度回転可能である。また、接地端子ピン２４の位置はしるし４０で確認できる。また、本体回転矢頭６２のように、接地アース端子ピン２４と一対の電源端子刀刃２２が同一平面および接地端子ピン２４と一対の電源端子刀刃２２が異面でも、固定部２８と回転部４４は回転可能である。
【実施例２】
【００３１】図２は、本発明の回転式電源プラグ分解図である。図２のように本発明の回転式電源プラグは、一対の電源端子刀刃２２、アース端子ピン２４、回転縲栓柱２６、接地後部接触板６４、一対の固定部２８、後部把持部３０、三芯電線３２、上カバー３４、下カバー３６および接地補助線１８等により構成されている。
【実施例３】
【００３２】図３は、本発明の回転式電源プラグの側面図である。一対の電源端子ピン２２と接地アース端子ピン２４は同一平面で、回転部４４と固定部２８は回転後の側面図である。図３の上図のように、回転部４４の後部と固定部２８の前部は、回転する為に半円型の方がよい。また、図３の下図のように、接地アース端子ピン２４は回転するために固定部２８は上部半月型の方がよい。さらに、固定部２８の上部半月型は、回転部４４、つまり、図３の下図のように、回転すると一対の電源端子刀刃ピン２２がコンセント差し込まれた後に、一対の電源端子刀刃ピン２２の一部が露呈してしまう可能性がある。よって、一対の電源端子ピン２２の部分に絶縁チューブ４６を被らせる必要がある。
【実施例４】
【００３３】図４は、本発明の回転式電源プラグ接地アースピン２４と一対の電源端子刀刃２２異面の上下、正面図である。図４の上図のように、接地アースピン２４の逆方向、接地板４８を通過する隙間５０。該隙間５０は左右どちらの位置でもよい。また、下カバー後部穴５２の内に、平リング５４、ばね５６およびリングばね５８が埋め込まれている。そして、図４の下図のように、接地アースピン２４を逆方向に回転させると、接地アースピン２４はカバー６０に被られ、しるし４０により、接地アースピン２４を確認でき、さらに、接地アースピンを逆方向に回転させると、接地穴付でないコンセントも差し込むことが可能である。
【実施例５】
【００３４】図５は、本発明の回転式電源プラグ接地アースピン２４と一対の電源端子刀刃２２異面での正面図である。図５の上図のように、接地アースピン２４と一対の電源刀刃２２の異面で、回転部４４と固定部２８は回転後の正面図においての接地アースピン２４の上方である。図５の下図の
2005327691.tif 000004
面図において、接地アースピン２４の下方を示す。
【実施例６】
【００３５】図６は、本発明の回転式電源プラグの接地アースピン２４と一対の電源端子刀刃２２同一平面上下の正面図である。
【実施例７】
【００３６】図７は、本発明の回転式電源プラグを上から見た接線図である。図７の上図のように、一対の電源端子刀刃２２の後部と一対の電源接触板６２を軸に対接させ、また、一対の電源接触板６２の後部と三芯電線３２の一対の電源線６６も対接させる。さらに、接地アースピン２４の後部と接地後部接触板６４は面接触しており、その面接触の内に凹凸部が設けられている。また、接地後部接触板６４と接地板４８を軸７０に対接させ、接地板４８の後部、三芯電線３２の接地線８６および接地補助線１８も対接させる。さらに、一対の電源端子刀刃２２、一対の電源接触板６２の電源軸６８および接地軸７０は同一直線上であり、いかなる方向からも可能である。図７の上図と下図は、接地アースピン２４と一対の電源端子刀刃ピン２２の同一平面および異面である。【００３７】図８は、本発明の回転電源プラグの側面から見た接線図である。図８の上図のように、電源軸６８と接地軸７０の中心に、一対の電源端子刀刃２２と接地アース端子ピン２４が共に回転する。また、図８の下図のように、回転螺栓柱２６の中心に、接地アースピン後部凹部又は凸部７２と接地後部接触板凸部又は凹部７４がばね５６によって、回転および固定可能である。
【実施例９】
【００３８】図９は、本発明の回転式電源プラグは、接地アース端子ピン２４と一対の電源端子刀刃２２同一平面回転後の正面図である。図９の上図のように、接地アース端子ピン２４は上付きである。図９の下図のように、接地アース端子ピン２４は下付きである。
【実施例１０】
【００３９】図１０は、本発明の回転式電源プラグ一対の電源端子ピン２２と接地アース端子ピン２４の同一平面上において、回転部４４と固定部２８の回転可能範囲の斜視図である。図１０のように、接地アース端子ピン２４は回転しなくてもよい。
【実施例１１】
【００４０】図１１は、本発明の回転式電源プラグ一対の電源端子ピン２２と接地アース端子ピン２４の同一平面および異面の斜視図である。図１１のように、接地アース端子ピン２４のみ回転してもよい。
【実施例１２】
【００４１】図１２は、本発明の回転式電源プラグの上に、スイッチ９０、ランプ８８、コンセント８を加えた斜視図である。図１２のように、スイッチ９０、ランプ８８、コンセント８は、各一つ又は多数でもよい。また、コンセントは、接地穴付あるいは接地穴付でなくてもよい。さらに、コンセントは、普通タイプ、抜きとめタイプ、引き掛けのものでも使用可能である。
【産業上の利用可能性】
【００４２】通常家庭、工場、建設現場、電気機器などのように、電源コンセントの接地穴付でないものを使用する場合が多い。この回転式電源プラグは、電源コンセントの接地穴付か否かに関係なく、双方の都合において使用可能である。また、従来の電源プラグは、電源コンセントに差し込む際、電源プラグと三芯電線の露呈する部分が長く、それにより重さが増し本体の傾斜を引き起こす。この場合、接触が悪くなり、結果火災や漏電が生じる可能性が高い。よって、仕事の効率の悪化、火災、漏電などを防ぐ為にも、より便利で安全性に富んだ回転式電源プラグを使用する必然性が高まる。また、本発明の回転式電源プラグの導電部は、金属導電体である銅などを用いてたり、絶縁体の場合ナイロンや樹脂などの材料を用いてもよい。
【図面の簡単な説明】
【００４３】
【図１】本発明の回転式電源プラグの斜視図である。
【図２】本発明の回転式電源プラグの分解図である。
【図３】本発明の回転式電源プラグ接地アースピン付の場合、固定部と回転部か回転後の両側面図である。
【図４】本発明の回転式電源プラグ接地アースピン付でない場合の上、下正面図である。
【図５】本発明の回転式電源プラグ接地アースピン付でない場合の固定部と回転部前後か回転後の正面図である。
【図６】本発明の回転式電源プラグ接地アースピン付の場合の上、下正面図である。
【図７】本発明の回転式電源プラグ接地アースピン付の場合、接地アースピン回転前および回転後に正面から見た配線図である。
【図８】本発明の回転式電源プラグ接地アースピン付の場合および接地アースピン付でない場合の一対電源端子刀刃および接地アースピン回転前後の側面から見た配線図である。
【図９】本発明の回転式電源プラグ接地アース付の場合、固定部と回転部の前後回転後の正面図である。
【図１０】本発明の回転式電源プラグの固定部と回転部の回転可能範囲の斜視図である。
【図１１】本発明の回転式電源プラグ接地アース端子ピンの回転斜視図である。
【図１２】本発明の回転式電源プラグの上にスイッチ、ランプ、コンセントを加えた斜視図である。
【図１３】従来の電源プラグとアガプタの斜視図と接地穴付及び接地穴付でない電源コンセントの正面図である。
【符号の説明】
【００４４】２、従来の電源プラグ
４、従来の電源プラグの一対電源端子刀刃
６、従来の電源プラグアース端子ピン
８、接地穴付コンセント
１０、接地穴付でないコンセント
１２、アダプタ
１４、アダプタの把持部
１６、アダプタの一対電源刀刃
１８、接地補助線
２０、コンセントの接地縲栓
２２、電源端子刀刃
２４、接地アース端子ピン
２６、回転縲栓柱
２８、固定部
３０、後部把持部
３２、三芯電線
３４、上カバー
３６、下カバー
３８、接地アース回転矢頭
４０、しるし
４２、本体回転矢頭
４４、回転部（上カバー、下カバー、一対の電源端子刀刃、接地アース端子、回転螺栓柱等）
４６、絶縁チューブ
４８、接地板
５０、隙間
５２、上カバー後部穴
５４、平リング
５６、ばね
５８、リングばね
６０、接地アースピンカバー
６２、電源接触板
６４、接地後部接触板
６６、電源線
６８、電源軸
７０、接地軸
７２、接地アースピン後部接触板凹部または凸部
７４、接地後部接触板凸部又は凹部
７６、接地アース端子ピン後部穴
７８、接地後部板穴
８０、上カバー穴
８２、下カバー穴
８４、回転螺栓柱の凹部
８６、接地線
８８、ランプ
９０、スイッチ
【図１】
2005327691.tif 000005
【図２】
2005327691.tif 000006
【図３】
2005327691.tif 000007
【図４】
2005327691.tif 000008
【図５】
2005327691.tif 000009
【図６】
2005327691.tif 000010
【図７】
2005327691.tif 000011
【図８】
2005327691.tif 000012
【図９】
2005327691.tif 000013
【図１０】
2005327691.tif 000014
【図１１】
2005327691.tif 000015
【図１２】
2005327691.tif 000016
【図１３】
2005327691.tif 000017